(57)【特許請求の範囲】
【請求項１】
互いに信号の送受信を行う第１の送受信装置と第２の送受信装置とを有する無線通信システムにおいて、
前記第１の送受信装置は、前記第２の送受信装置の特定のアンテナから送信される信号の受信レベルが互いに所定の相関関係を有する複数のアンテナと、前記第２の送受信装置における特定のアンテナから送信されて前記複数のアンテナによりそれぞれ受信される信号の受信レベルに基づいて、前記第２の送受信装置の特定のアンテナへ信号を送信するアンテナを前記複数のアンテナのいずれかに切り換える送信アンテナ切換手段と、前記送信アンテナ切換手段による切り換えタイミングを前記第２の送受信装置に通知するタイミング通知手段と、を備え、
前記第２の送受信装置は、前記第１の送受信装置から通知された切り換えタイミングに同期して、前記特定のアンテナにより受信する信号の等化処理に用いる等化係数を変更する等化係数変更手段を備え、
前記等化係数変更手段は、前記送信アンテナ切換手段により切り換えが行われるタイミングにおける等化係数の複素共役をアンテナ切換後の等化係数の初期値として変更する、
ことを特徴とする無線通信システム。
【請求項２】
互いに信号の送受信を行う第１の送受信装置と第２の送受信装置とを有する無線通信システムにおいて、
前記第１の送受信装置は、前記第２の送受信装置の特定のアンテナから送信される信号の受信レベルが互いに所定の相関関係を有する複数のアンテナと、前記第２の送受信装置における特定のアンテナから送信されて前記複数のアンテナによりそれぞれ受信される信号の受信レベルに基づいて、前記第２の送受信装置の特定のアンテナへ信号を送信するアンテナを前記複数のアンテナのいずれかに切り換える送信アンテナ切換手段と、前記送信アンテナ切換手段による切り換えタイミングを前記第２の送受信装置に通知するタイミング通知手段と、を備え、
前記第２の送受信装置は、前記第１の送受信装置から通知された切り換えタイミングに同期して、前記特定のアンテナにより受信する信号の等化処理に用いる等化係数を変更する等化係数変更手段を備え、
前記等化係数変更手段は、前記送信アンテナ切換手段により切り換えが行われるタイミングにおける等化係数の実数部をそのままとして虚数部を０としたものをアンテナ切換後の等化係数の初期値として変更する、
ことを特徴とする無線通信システム。
【請求項３】
請求項１又は請求項２に記載の無線通信システムにおいて、
前記第１の送受信装置は２つのアンテナを備え、当該２つのアンテナは、前記第２の送受信装置の特定のアンテナから送信される信号の受信レベルが互いに逆相関となる関係を有する、
ことを特徴とする無線通信システム。
【請求項４】
対向する送信装置と受信装置とを有する無線通信システムにおいて、
前記送信装置は、前記受信装置の特定の受信アンテナとの間の伝搬路特性が所定の相関関係を有する複数の送信アンテナと、前記受信装置の特定の受信アンテナへ信号を送信するアンテナを前記複数の送信アンテナのいずれかに切り換える送信アンテナ切換手段と、前記送信アンテナ切換手段による切り換えタイミングを前記受信装置に通知するタイミング通知手段と、を備え、
前記受信装置は、前記送信装置から通知された切り換えタイミングに同期して、前記特定の受信アンテナにより受信する信号の等化処理に用いる等化係数を変更する等化係数変更手段を備え、
前記等化係数変更手段は、前記送信アンテナ切換手段により切り換えが行われるタイミングにおける等化係数の実数部をそのままとして虚数部を０としたものをアンテナ切換後の等化係数の初期値として変更する、
ことを特徴とする無線通信システム。
【請求項５】
対向する送信装置と受信装置とを有する無線通信システムにおいて、
前記送信装置は、前記受信装置の特定の受信アンテナとの間の伝搬路特性が所定の相関関係を有する複数の送信アンテナと、前記受信装置の特定の受信アンテナへ信号を送信するアンテナを前記複数の送信アンテナのいずれかに切り換える送信アンテナ切換手段と、前記送信アンテナ切換手段による切り換えタイミングを前記受信装置に通知するタイミング通知手段と、を備え、
前記受信装置は、前記送信装置から通知された切り換えタイミングに同期して、前記特定の受信アンテナにより受信する信号の等化処理に用いる等化係数を変更する等化係数変更手段を備え、
前記等化係数変更手段は、前記送信アンテナ切換手段により切り換えが行われるタイミングにおける等化係数の実数部をそのままとして虚数部を０としたものをアンテナ切換後の等化係数の初期値として変更する、
ことを特徴とする無線通信システム。
【発明の詳細な説明】
【技術分野】
【０００１】
本発明は、無線通信システムに関し、特に、逆相関アンテナを利用した送信ダイバーシティで、送信アンテナ（送信系）の切り換えに起因する等化係数の再収束などにおいて、その所要時間を短縮することができる技術に関する。
【背景技術】
【０００２】
ＦＷＡ（Ｆｉｘｅｄ  Ｗｉｒｅｌｅｓｓ  Ａｃｃｅｓｓ）システムでは、見通しが確保できる２地点に送信アンテナと受信アンテナが設置される。この場合、２地点における伝搬モデルとしては、直接波と１パスの反射波との２波モデルで近似することができる。
ここで、図１１に例示するようなＦＷＡシステムの伝搬モデルにおいて、送信点（送信側のアンテナａの位置）と受信点（受信側のアンテナｂの位置）との間に海面が存在し、更に、反射波の反射点が海面上に位置する場合について検討する。
まず、直接波に関しては、潮位が変動しても、キャリア位相が変化することはない。
一方、反射波に関しては、潮位の変動に伴って、経路及び経路長が変化する。その結果、受信点における反射波のキャリア位相には変動が生じる。
このため、受信点では、直接波と反射波のキャリア位相差が変化することになり、その結果、直接波と反射波を合成した受信波（合成波）のレベルが変動する。
【０００３】
受信レベルが変動する場合、ダイバーシティの実施により、レベル変動の影響を軽減することができる。ダイバーシティには、各種の方式が存在する。例えば、図１２に例示するように、信号の受信に係る２つのアンテナｂ−１，ｂ−２をそれぞれ異なる位置に設置し、各々を適宜切り替える選択ダイバーシティ方式がある。
ここで、図１２のような選択ダイバーシティ方式において、アンテナｂ−１，ｂ−２の位置関係が後述の条件（逆相関成立条件）を満たすとき、アンテナｂ−１による受信レベルの変動と、アンテナｂ−２による受信レベルの変動との関係が、逆相関関係になる。図１３には、逆相関関係が成立している場合の受信レベルの変動例を示してある。図１３において、横軸は潮位を表しており、縦軸は受信電界強度を表している。
【０００４】
なお、図１２における逆相関成立条件は、「アンテナｂ−１において、アンテナａからの直接波のキャリア位相と反射波のキャリア位相との差がδθであるとき、アンテナｂ−２において、アンテナａからの直接波のキャリア位相と反射波のキャリア位相との差がδθ＋１８０°になること」である。
ここで、アンテナｂ−１に対する直接波と反射波の路程の差を路程差ｄ１とし、アンテナｂ−２に対する直接波と反射波の路程の差を路程差ｄ２とする。そして、位相で表現した上記の逆相関成立条件をキャリア波長での表現に言い換えると、逆相関成立条件は、「路程差ｄ１と路程差ｄ２の差が１／２波長になること」となる。従って、この条件を満たす位置関係でアンテナｂ−１，ｂ−２を設置すれば良いことになる。
なお、より一般的には、「ｄ１−ｄ２＝（２ｍ＋１）λ／２」の条件を満たす時、アンテナｂ−１，ｂ−２は逆相関の関係が成立する。λはキャリア波長、ｍは０以上の整数である。
【０００５】
潮位に対する受信レベルの変動と、受信レベルの変動に対処するための受信アンテナの切り換えの実施について、図１４、図１５を参照して説明する。図１４には、逆相関関係が成立している場合の受信レベルの変動例及び受信アンテナの切り換えの実施点を示してあり、図１５には、逆相関関係が成立していない場合の受信レベルの変動例及び受信アンテナの切り換えの実施点を示してある。図１４、図１５では、受信アンテナの切り換えの実施点を白抜きの“○”で示している。
図１５に示されるように、逆相関関係が成立していない場合には、受信アンテナの切り換えの実施時点において、受信レベルの低下がやや大きくなる場合がある。これに対し、図１４に示されるように、逆相関関係が成立している場合には、受信アンテナの切り換えの実施時点の受信レベルは、全て、図１５に示した最も低下した際の受信レベルにまで低下することはない。
つまり、信号の受信に係る２つのアンテナｂ−１，ｂ−２の設置条件に逆相関成立条件を加えることで、選択ダイバーシティにおいて受信レベルを一定以上に保つ効果が大きくなるといえる。
【０００６】
ここで、複信方式としてＴＤＤ（Ｔｉｍｅ  Ｄｉｖｉｓｉｏｎ  Ｄｕｐｌｅｘｉｎｇ）を採用したシステムでは、上述した受信側の選択ダイバーシティ（受信ダイバーシティ）に加え、受信アンテナの切り換え制御に基づいた送信アンテナの切り換え（送信ダイバーシティ）も可能である。これは、ＴＤＤの場合には送受信を同一周波数のキャリアで行う、という特徴を有効に利用する方式である。
図１６には、ＴＤＤシステムの特徴を利用した選択ダイバーシティの例を示してある。すなわち、アンテナｂ−１，ｂ−２の側であるＢ点では、受信側の時間帯には受信ダイバーシティを行い、送信側の時間帯には送信ダイバーシティを行う。このような送信ダイバーシティの実施により、対向する装置側（アンテナａの側）であるＡ点の受信レベルも一定以上のレベルに保つことが可能になる。
【０００７】
次に、伝搬路特性の補償について説明する。
反射波は、直接波に対して遅延する。この遅延時間がシンボル周期に対して大きくなると、変調波帯域内の周波数特性の歪みが無視できなくなる。変調多値数を大きくするためには、このような伝搬路歪みの補償が必須となる。この場合には、通常、時間領域或いは周波数領域において等化処理が行われる。
ここで、アンテナ選択による受信ダイバーシティを実施する場合、受信アンテナの切り換えに伴って伝搬路が切り換わり、伝搬路特性も変化する。このため、受信アンテナの切り換え時には受信品質が一時的に劣化することになるが、この劣化を解消するために、受信信号の等化処理に用いるパラメータ（等化係数）の調整などが必要になる。
同様に、アンテナ選択による送信ダイバーシティを実施する場合にも、送信アンテナの切り換えに伴って伝搬路特性が変化する。このため、送信アンテナの切り換え時には受信品質が一時的に劣化することになり、この劣化を解消するために、受信側は受信信号の等化処理に用いるパラメータ（等化係数）の調整などが必要になる。
【０００８】
なお、ダイバーシティに関し、これまでに種々の発明が提案されている。
例えば、特許文献１には、２つのアンテナの相関係数を−１として、２つのアンテナで信号を受信する場合に、一方のアンテナの受信入力（例えば、電界強度）が最小となったときに、他方のアンテナの受信入力（例えば、電界強度）が最大となる逆相関関係とする構成が開示されている。
【先行技術文献】
【特許文献】
【０００９】
【特許文献１】特開２００２−１３５１８２号公報
【発明の概要】
【発明が解決しようとする課題】
【００１０】
上述したようにアンテナ選択による送信ダイバーシティを実施する場合、対向する装置側（受信側）では、通信相手（送信側）がいつ送信アンテナを切り換えるか把握しておらず、実際に送信アンテナが切り換わった際の等化用パラメータ（等化係数）の調整などが遅延してしまうため、切り換え直後の通信品質が劣化することになる。
そこで、本発明では、所定の相関関係を有する複数のアンテナのうちのいずれかを選択的に使用して信号の送信を行う送信ダイバーシティに関し、送信アンテナの切り換え直後における通信品質の劣化の改善を図ることを目的とする。
【課題を解決するための手段】
【００１１】
上記課題を解決するために、本発明では、所定の相関関係を有する複数のアンテナを用いて送信ダイバーシティを実施するにあたり、送信側では、送信アンテナを切り換えるタイミングを対向する装置側（受信側）に通知し、受信側では、通知された切り換えタイミングに同期して等化用パラメータ（等化係数）などを変更する。
ここで、所定の相関関係を有する複数のアンテナとしては、例えば、逆相関関係を有する２つのアンテナである。
すなわち、受信側では、送信側における送信アンテナの切り換えタイミングを事前に把握でき、送信アンテナの切り換えに伴う伝搬路特性の変化への対応を速やかに行える。
【００１２】
一構成例として、互いに信号の送受信を行う第１の送受信装置と第２の送受信装置とを有する無線通信システムにおいて、前記第１の送受信装置は、前記第２の送受信装置の特定のアンテナから送信される信号の受信レベルが互いに所定の相関関係を有する複数のアンテナと、前記第２の送受信装置における特定のアンテナから送信されて前記複数のアンテナによりそれぞれ受信される信号の受信レベルに基づいて、前記第２の送受信装置の特定のアンテナへ信号を送信するアンテナを前記複数のアンテナのいずれかに切り換える送信アンテナ切換手段と、前記送信アンテナ切換手段による切り換えタイミングを前記第２の送受信装置に通知するタイミング通知手段と、を備え、前記第２の送受信装置は、前記第１の送受信装置から通知された切り換えタイミングに同期して、前記特定のアンテナにより受信する信号の等化処理に用いる等化係数を変更する等化係数変更手段を備える。
当該構成によれば、第２の送受信装置では、第１の送受信装置における送信アンテナの切り換えタイミングを事前に把握することができ、当該切り換えタイミングに同期して、等化処理に用いる等化係数の変更（初期化）が実施されるため、送信アンテナの切り換え直後における通信品質の劣化が改善される。
なお、上記無線通信システムとしては、同一のアンテナ間において送信及び受信の伝搬路特性が実質的に同一であることが望ましく、例えば、送信及び受信を同一の無線周波数帯で行う、ＴＤＤによる複信方式システムが好適である。
【００１３】
また、一構成例として、上記構成例の第１の送受信装置は２つのアンテナを備え、当該２つのアンテナにおいて、前記第２の送受信装置の特定のアンテナから送信される信号の受信レベルが互いに逆相関となる関係を有する。
当該構成によれば、上記構成例に対して、特に、第１の送受信装置が備える２つのアンテナの各受信レベルが逆相関関係を有するという条件に基づいて等化係数変更時の係数を設定することができ、送信系の切り換えに起因する等化係数の再収束において、その所要時間を短縮することが可能である。
【００１４】
また、一構成例として、対向する送信装置と受信装置を有する無線通信システムにおいて、前記送信装置は、前記受信装置の特定の受信アンテナとの間の伝搬路特性が所定の相関関係を有する複数の送信アンテナと、前記受信装置の特定の受信アンテナへ信号を送信するアンテナを前記複数の送信アンテナのいずれかに切り換える送信アンテナ切換手段と、前記送信アンテナ切換手段による切り換えタイミングを前記受信装置に通知するタイミング通知手段と、を備え、前記受信装置は、前記送信装置から通知された切り換えタイミングに同期して、前記特定の受信アンテナにより受信する信号の等化処理に用いる等化係数を変更する等化係数変更手段を備える。
当該構成によれば、受信装置では、送信装置における送信アンテナの切り換えタイミングを事前に把握することができ、当該切り換えタイミングに同期して、等化処理に用いる等化係数の変更（初期化）が実施されるため、送信アンテナの切り換え直後における通信品質の劣化が改善される。
【００１５】
また、一構成例として、対向する送信装置と受信装置とを有する無線通信システムにおいて、前記送信装置は、前記受信装置の特定の受信アンテナとの間の伝搬路特性が所定の相関関係を有する複数の送信アンテナと、前記受信装置の特定の受信アンテナへ信号を送信するアンテナを前記複数のアンテナのいずれかに切り換える送信アンテナ切換手段と、前記送信アンテナ切換手段による切り換えタイミングを前記受信装置に通知するタイミング通知手段と、を備え、前記受信装置は、前記送信装置から通知された切り換えタイミングに同期して、前記特定の受信アンテナにより受信する信号に対する処理に関するパラメータを変更するパラメータ変更手段を備える。
当該構成によれば、受信装置では、送信装置における送信アンテナの切り換えタイミングを事前に把握することができ、当該切り換えタイミングに同期して、受信信号に対する処理に関するパラメータの変更（初期化）が実施されるため、送信アンテナの切り換え直後における通信品質の劣化が改善される。
【発明の効果】
【００１６】
本発明によれば、所定の相関関係を有する複数のアンテナのうちのいずれかを選択的に使用して信号の送信を行う送信ダイバーシティに関し、送信アンテナの切り換え直後における通信品質の劣化が改善される。
【図面の簡単な説明】
【００１７】
【図１】本発明の一実施形態に係る無線通信システムの構成例を示す図である。
【図２】ｎ−３番目のフレームにおける通信内容の例を示す図である。
【図３】ｎ−２番目のフレームにおける通信内容の例を示す図である。
【図４】ｎ−１番目のフレームにおける通信内容の例を示す図である。
【図５】ｎ番目のフレームにおける通信内容の例を示す図である。
【図６】各逆相関アンテナにおける直接波と反射波のキャリア位相差別の変調スペクトラムの例を示す図である。
【図７】相関関係にある３本のアンテナにおける受信レベルの例を示す図である。
【図８】相関関係にある３本のアンテナにおけるキャリア位相別の変調スペクトラムの例を示す図である。
【図９】適応等化器の内部の構成例を示す図である。
【図１０】調整部の内部の構成例を示す図である。
【図１１】ＦＷＡシステムの伝搬モデルの例を示す図である。
【図１２】受信アンテナ選択によるダイバーシティの例を示す図である。
【図１３】逆相相関条件が成立している場合の受信レベルの変動例を示す図である。
【図１４】逆相関関係が成立している場合の受信レベルの変動例及び受信アンテナの切り換えの実施点を示す図である。
【図１５】逆相関関係が成立していない場合の受信レベルの変動例及び受信アンテナの切り換えの実施点を示す図である。
【図１６】ＴＤＤシステムの特徴を利用した選択ダイバーシティの例を示す図である。
【発明を実施するための形態】
【００１８】
本発明の一実施形態について図面を参照して説明する。
図１には、本発明の一実施形態に係る無線通信システムの構成例を示してある。
本例の無線通信システムは、ＴＤＤ複信方式のシステムであり、２つの送受信装置を有している。本例では、Ｂ点（図中右側）に位置する第１の送受信装置で、受信ダイバーシティ及び送信ダイバーシティを実施し、これに対向するＡ点（図中右側）に位置する第２の送受信装置で、Ｂ点側（第１の送受信装置）における送信ダイバーシティを実施した結果の信号を受信する構成となっている。
【００１９】
Ａ点側に位置する第２の送受信装置は、信号の送受信に用いるアンテナａに加え、ＥＮＣ部（エンコーダ部）１１、送信ベースバンド部１２、送信ＲＦ部１３、ＴＤＤ−ＳＷ部（送受信切り換え部）１４、受信ＲＦ部１５、受信ベースバンド部１６、ＤＥＣ部（デコーダ部）１７、タイミング管理部１８、制御部１９を有する。
Ｂ点側に位置する第１の送受信装置は、信号の送受信に用いるアンテナｂ−１，ｂ−２に加え、ＥＮＣ部（エンコーダ部）２１、送信ベースバンド部２２、送信ＲＦ部２３、送信系選択部２４、ＴＤＤ−ＳＷ部（送受信切り換え部）２５−１，２５−２、受信ＲＦ部２６−１，２６−２、受信系選択部２７、受信ベースバンド部２８、ＤＥＣ部（デコーダ部）２９、タイミング管理部３０、レベル測定／比較部３１、制御部３２を有する。
本例の第１の送受信装置では、２つのアンテナｂ−１，ｂ−２を互いに逆相関関係となるような位置関係で配置している。
【００２０】
第２の送受信装置（Ａ点側）の各機能部について概略的に説明する。
ＥＮＣ部１１は、第１の送受信装置へ送信する対象として入力されたデータ（ユーザー用データや制御用データ）に対して符号化処理を行い、その結果の信号を送信ベースバンド部１２へ出力する。
送信ベースバンド部１２は、ＥＮＣ部１１から入力された信号に対して送信ベースバンド処理を行い、その結果の信号を送信ＲＦ部１３へ出力する。
送信ＲＦ部１３は、送信ベースバンド部１２から入力された信号に対して送信ＲＦ処理を行い、その結果の信号をＴＤＤ−ＳＷ部１４へ出力する。
ＴＤＤ−ＳＷ部１４は、制御部１９による制御の下で、送信ＲＦ部１３から入力された信号をアンテナａにより第１の送受信装置へ送信する状態と、アンテナａにより第１の送受信装置から受信した信号を受信ＲＦ部１５へ出力する状態を切り換える。
【００２１】
受信ＲＦ部１５は、ＴＤＤ−ＳＷ部１４を介して入力される第１の送受信装置から受信した信号に対して受信ＲＦ処理を行い、その結果の信号を受信ベースバンド部１６へ出力する。
受信ベースバンド部１６は、受信ＲＦ部１５から入力された信号に対して受信ベースバンド処理を行い、その結果の信号をＤＥＣ１７へ出力する。
ＤＥＣ１７は、受信ベースバンド部１６から入力された信号に対して復号化処理を行い、その結果のデータ（ユーザー用データや制御用データ）を出力する。
タイミング管理部１８は、信号の送受信に係るフレーム中の位置を確認するためのカウンタである。
制御部１９は、タイミング管理部１８によるカウンタ値に基づいて、所定の制御を実施する。
【００２２】
第１の送受信装置（Ｂ点側）の各機能部について概略的に説明する。
ＥＮＣ部２１は、第２の送受信装置へ送信する対象として入力されたデータ（ユーザー用データや制御用データ）に対して符号化処理を行い、その結果の信号を送信ベースバンド部２２へ出力する。
送信ベースバンド部２２は、ＥＮＣ部２１から入力された信号に対して送信ベースバンド処理を行い、その結果の信号を送信ＲＦ部２３へ出力する。
送信ＲＦ部２３は、送信ベースバンド部２２から入力された信号に対して送信ＲＦ処理を行い、その結果の信号を送信系選択部２４へ出力する。
送信系選択部２４は、制御部３２による制御の下で、送信ＲＦ部２３から入力された信号をＴＤＤ−ＳＷ部２５−１へ出力する状態（第１の送信系を使用する状態）と、送信ＲＦ部２３から入力された信号をＴＤＤ−ＳＷ部２５−２へ出力する状態（第２の送信系を使用する状態）を切り換える。なお、第１の送信系は、アンテナｂ−１、ＴＤＤ−ＳＷ部２５−１等により構成され、第２の送信系は、アンテナｂ−２、ＴＤＤ−ＳＷ部２５−２等により構成される。
【００２３】
ＴＤＤ−ＳＷ部２５−１は、制御部３２による制御の下で、送信系選択部２４から入力された信号をアンテナｂ−１により第２の送受信装置へ送信する状態と、アンテナｂ−１により第２の送受信装置から受信した信号を受信ＲＦ部２６−１へ出力する状態を切り換える。
ＴＤＤ−ＳＷ部２５−２は、制御部３２による制御の下で、送信系選択部２４から入力された信号をアンテナｂ−２により第２の送受信装置へ送信する状態と、アンテナｂ−２により第２の送受信装置から受信した信号を受信ＲＦ部２６−２へ出力する状態を切り換える。
【００２４】
受信ＲＦ部２６−１は、ＴＤＤ−ＳＷ部２５−１を介して入力される第２の送受信装置から受信した信号に対して受信ＲＦ処理を行い、その結果の信号を受信系選択部２７及びレベル測定／比較部３１へ出力する。
受信ＲＦ部２６−２は、ＴＤＤ−ＳＷ部２５−２を介して入力される第２の送受信装置から受信した信号に対して受信ＲＦ処理を行い、その結果の信号を受信系選択部２７及びレベル測定／比較部３１へ出力する。
【００２５】
受信系選択部２７は、制御部３２による制御の下で、受信ＲＦ部２６−１から入力された信号を受信ベースバンド部２８へ出力する状態（第１の受信系を使用する状態）と、受信ＲＦ部２６−２から入力された信号を受信ベースバンド部２８へ出力する状態（第２の受信系を使用する状態）を切り換える。なお、第１の受信系は、アンテナｂ−１、ＴＤＤ−ＳＷ部２５−１、受信ＲＦ部２６−１等により構成され、第２の受信系は、アンテナｂ−２、ＴＤＤ−ＳＷ部２５−２、受信ＲＦ部２６−２等により構成される。
受信ベースバンド部２８は、受信系選択部２７から入力された信号に対して受信ベースバンド処理を行い、その結果の信号をＤＥＣ２９へ出力する。
ＤＥＣ２９は、受信ベースバンド部２８から入力された信号に対して復号化処理を行い、その結果のデータ（ユーザー用データや制御用データ）を出力する。
【００２６】
タイミング管理部３０は、信号の送受信に係るフレーム中の位置を確認するためのカウンタである。
レベル測定／比較部３１は、受信ＲＦ部２６−１から入力された信号及び受信ＲＦ部２６−２から入力された信号のレベル（例えば、電力の値）をそれぞれ測定し、これらのレベルを比較し、当該比較結果の情報を制御部３２へ出力する。
制御部３２は、タイミング管理部３０によるカウンタ値及びレベル測定／比較部から入力された情報に基づいて、所定の制御を実施する。
【００２７】
本例の無線通信システムに係る受信ダイバーシティでは、第１の送受信装置（Ｂ点側）の制御部３２は、レベル測定／比較部３１から入力された情報に基づいて、使用する受信系を切り換えるように受信系選択部２７を制御する。また、受信系の切り換えと共に（例えば、受信系の切り換えの前に）、受信ベースバンド部２８における受信ベースバンド処理に関するパラメータを変更するように制御する。
受信ベースバンド処理に関するパラメータとしては、一例として、受信信号の等化処理に用いるパラメータである等化係数が挙げられる。等化係数は、受信系の切り換えに伴って、切り換え後の受信系に対応した初期化が行われ、その後、所定の係数更新アルゴリズムに基づいて更新（収束）される。
【００２８】
また、本例の無線通信システムに係る送信ダイバーシティでは、第１の送受信装置（Ｂ点側）の制御部３２は、レベル測定／比較部３１から入力された情報に基づいて、使用する送信系を切り換えるタイミングを決定し、当該切り換えタイミングに同期して送信系を切り換えるように送信系選択部２４を制御する。また、切り換えタイミングの情報は、送信系の切り換えに先立って第２の送受信装置（Ａ点側）へ通知される。そして、第２の送受信装置の制御部１９は、通知された切り換えタイミングに同期して、受信ベースバンド部１６における受信ベースバンド処理に関するパラメータを変更するように制御する。
受信ベースバンド処理に関するパラメータとしては、一例として、受信信号の等化処理に用いるパラメータである等化係数が挙げられる。等化係数は、第１の送受信装置（Ｂ点側）における送信系の切り換えに伴って、切り換え後の送信系に対応した初期化（変更）が行われ、その後、所定の係数更新アルゴリズムに基づいて更新（収束）される。
【００２９】
なお、本例の第１の送受信装置は、受信系の切り換えと同様に受信信号のレベルに基づいて送信系の切り換えを決定する構成であるが、これは、本例の無線通信システムにおいて特定の２つのアンテナ間で行う送信と受信の伝搬路は実質的に同一であり、各受信系で受信した信号のレベルと、当該受信系に対応する送信系により送信される信号の第２の送受信装置側での受信レベルは同様に変化することに基づいている。
【００３０】
受信ダイバーシティから送信ダイバーシティまでの動作例について説明する。
本例では、以下の［ステップ１］〜［ステップ４］に示すように、受信ダイバーシティの実施に連動して送信ダイバーシティを実施するものとする。
図２には、ｎ−３番目のフレームにおける通信内容の例を示してあり、図３には、ｎ−２番目のフレームにおける通信内容の例を示してあり、図４には、ｎ−１番目のフレームにおける通信内容の例を示してあり、図５には、ｎ番目のフレームにおける通信内容の例を示してある。
【００３１】
［ステップ１；ｎ−３番目のフレーム時の動作］について、図２を参照して説明する。
ｎ−３番目のフレームにおいて、受信ダイバーシティ及び送信ダイバーシティの実施タイミングを決定する。
すなわち、Ｂ点（第１の送受信装置）では、２つの受信系で受信された信号のレベルをそれぞれ測定して両者を比較し、受信レベルの大小の入れ替わりに応じて、受信レベルが大きくなった方の受信系への切り換えを決定する。送信系についても、当該受信系と同じアンテナで構成される送信系への切り換えを決定する。本例では、受信系の切り換えは、当該フレーム（ｎ−３番目のフレーム）時点では実施せず、その次のフレーム（ｎ−２番目のフレーム）時点で実施する（つまり、フレームの途中では切り換えない）。送信系の切り換えについてもこの時点では実施しない。
一方、Ａ点（第２の送受信装置）では、この時点でのダイバーシティ関連の制御はない。
なお、受信系及び送信系の切り換えの決定は、受信レベルの大小の入れ替わりに応じて行われる態様だけでなく、測定された受信レベルを比較して、受信レベルの大きさが入れ替わると予測される場合に、大きくなると予測される方の受信系へ予め切り換えるように決定する態様をとってもよい。
【００３２】
［ステップ２；ｎ−２番目のフレーム時の動作］について、図３を参照して説明する。
ｎ−２番目のフレームにおいて、受信ダイバーシティを実施する。
すなわち、Ｂ点（第１の送受信装置）では、当該フレーム（ｎ−２番目のフレーム）の信号の受信を開始するタイミングに合わせて、受信系の切り換えと、受信ベースバンド処理に関するパラメータ（例えば、等化係数などの伝搬路特性補償処理に係るパラメータ）の調整（変更）を実施する。送信系の切り換えは、この時点では実施しない。
一方、Ａ点（第２の送受信装置）では、この時点でのダイバーシティ関連の制御はない。
【００３３】
［ステップ３；ｎ−１番目のフレーム時の動作］について、図４を参照して説明する。
ｎ−１番目のフレームにおいて、送信ダイバーシティに関する通知を行う。
すなわち、Ｂ点（第１の送受信装置）では、送信ダイバーシティを実施するフレームの位置（送信系の切り換えタイミング）をＡ点（第２の送受信装置）側に通知するために、そのフレーム位置情報を当該フレーム（ｎ−２番目のフレーム）で送信する制御用データの信号に埋め込んで送信する。本例では、送信系の切り換えは、当該フレーム（ｎ−１番目のフレーム）時点では実施せず、その次のフレーム（ｎ番目のフレーム）時点で実施する（すなわち、フレームの途中では切り換えない）。
一方、Ａ点（第２の送受信装置）では、受信した制御用データの信号をデコードしてフレーム位置情報を抽出（送信系の切り換えタイミングを特定）し、Ｂ点（第１の送受信装置）における送信系の切り換えに備える。
【００３４】
［ステップ４；ｎ番目のフレーム時の動作］について、図５を参照して説明する。
ｎ番目のフレームにおいて、送信ダイバーシティを実施する。
すなわち、Ｂ点（第１の送受信装置）では、当該フレーム（ｎ番目のフレーム）の信号の送信を開始するタイミングに合わせて、送信系の切り換えを行う。
一方、Ａ点（第２の送受信装置）では、当該フレーム（ｎ番目のフレーム）の受信を開始するタイミングに合わせて、受信ベースバンド処理に関するパラメータ（例えば、等化係数などの伝搬路特性補償処理に係るパラメータ）の調整（変更）を実施する。
【００３５】
以上に述べたステップ１〜ステップ４の手順を踏むことにより、Ｂ点（第１の送受信装置）における送信ダイバーシティのための送信アンテナ（送信系）の切り換え直後であっても、対向するＡ点（第２の送受信装置）側で、伝搬路特性の変化に対する適応が済むまでの一時的な期間における受信状態の乱れを回避できる。
なお、本例では、送信アンテナの切り換えを、対向側（Ａ点側）に切り換え情報（位置情報）を通知した直後のフレームとしているが、これに限定するものではなく、第１の送受信装置及び第２の送受信装置の双方でタイミングを同期して切り換え処理がなされればよい。すなわち、例えば、“数フレーム後に実施”という情報（送信系の切り換えを実施するフレーム位置の情報）を通知し、当該情報に基づく制御を双方の装置で行うようにしてもよい。
【００３６】
なお、本例では、受信系の切り換えを決定する手法として、各受信系で受信した信号のレベルに基づいて、受信系の切り換え及び送信系の切り換えを決定しているが、これに限られず、例えば、受信信号のスペクトルを測定した結果に基づいて決定するような手法が用いられてもよい。
【００３７】
また、本例では好適な例として、受信系の切り換えと送信系の切り換えを同時に決定し、それぞれ切り換え動作を行うが、これに限られず、受信系の切り換えと送信系の切り換えを行う判断基準を異ならせて、それぞれ異なるタイミングで切り換えを決定するようにしてもよい。
【００３８】
以上のように、本例の無線通信システムはＴＤＤ複信方式であり、第１の送受信装置と第２の送受信装置を対向させて設置し、第１の送受信装置に、受信レベル（例えば受信電力）の推移が逆相関の関係になるようにアンテナを設け、アンテナ切り換えによる受信ダイバーシティを行う。
更に、第１の送受信装置は、アンテナ切り換えによる受信ダイバーシティに連動して送信ダイバーシティを行う。すなわち、受信アンテナを切り換えたタイミングに基づき、送信も、切り換え後のアンテナ側から行うように切り換える。また、第１の送受信装置は、送信アンテナを切り換えるタイミングを第２の送受信装置に伝えるために、ユーザ用データのほかに制御用データを送信する。この制御用データに、送信アンテナがいつ切り換わるかを示す情報（切り換えタイミングの情報）を載せる。
一方、第２の送受信装置は、送信アンテナがいつ切り換わるかを、受信した制御用データの中から判断する。そして、制御用データで指定されたタイミングで、送信アンテナの切り換わりに対応するための受信関連パラメータ（例えば、等化係数）を変更する。
【００３９】
従って、本例の無線通信システムでは、送信側の装置（第１の送受信装置）におけるアンテナ間の逆相関特性を利用した送信ダイバーシティの実施に同期して、対向する受信側の装置（第２の送受信装置）における受信関連パラメータが適切な値に変更される（近づけられる）。このような構成は、例えば、潮位変動の影響がある環境でＦＷＡシステムを使用する場合に有用である。
【００４０】
次に、第２の送受信装置（Ａ点側）の受信ベースバンド部１６における受信ベースバンド処理に関するパラメータの変更について説明する。なお、第１の送受信装置（Ｂ点側）の受信ベースバンド部２８側については、第２の送受信装置（Ａ点側）の受信ベースバンド部１６側と概略的に同様な処理であるため、その説明は割愛する。
受信ベースバンド処理では、例えば、直交変調処理、デシメーション（サンプリングレートの変換）処理、受信フィルタ処理、等化処理などの各処理が順に実施される。
以下では、受信ベースバンド処理に関するパラメータを変更する例として、等化処理に用いるパラメータである等化係数を初期化する場合について説明する。
【００４１】
（第１実施例）
等化係数の初期化の第１実施例を説明する。
図９には、受信ベースバンド部１６に設けられる適応等化器の内部の構成例を示してある。
本例では、適応等化器のタップ数が３である場合を示すが、他の種々なタップ数が用いられてもよい。
本例の適応等化器は、３個のレジスタ（Ｒｅｇ）５１−０〜５１−２、３個の（係数可変の）乗算器５２−０〜５２−２、加算器（又は、累算器）５３を備えており、また、３個のレジスタ（Ｒｅｇ）６１−０〜６１−２、３個の選択部６２−０〜６２−２、３個の調整部６３−０〜６３−２、係数更新部６４を備えており、また、シンボル判定部７１、参照信号部７２、スイッチ７３、加算器７４を備えている。
【００４２】
また、本例では、ｎ＝０，１，２として、ｋが時刻（例えば、サンプル番号）を表すとし、ｘｎ（ｋ）が入力信号を表し、ｙ（ｋ）が出力信号を表し、ｄ（ｋ）が所望信号を表し、ｅｎ（ｋ）が等化誤差信号を表し、ｗｎ（ｋ）が等化信号を表すとする。
本例では、ｘｎ（ｋ）、ｙ（ｋ）、ｄ（ｋ）、ｅｎ（ｋ）、ｗｎ（ｋ）は、複素数である。
【００４３】
本例の適応等化器において行われる動作の例を示す。
入力信号が、直列に接続された３個のレジスタ５１−０〜５１−２を通過する。
第１のレジスタ５１−０からの出力信号ｘ０（ｋ）が、第１の乗算器５２−０に入力されて等化係数ｗ０（ｋ）を乗算され、その結果の信号が加算器５３に入力される。
第２のレジスタ５１−１からの出力信号ｘ１（ｋ）が、第２の乗算器５２−１に入力されて等化係数ｗ１（ｋ）を乗算され、その結果の信号が加算器５３に入力される。
第３のレジスタ５１−２からの出力信号ｘ２（ｋ）が、第３の乗算器５２−２に入力されて等化係数ｗ２（ｋ）を乗算され、その結果の信号が加算器５３に入力される。
加算器５３は、３個の乗算器５２−０〜５２−２から入力された信号を加算（合成）し、当該加算結果の信号を出力信号ｙ（ｋ）として出力する。この信号ｙ（ｋ）は、シンボル判定部７１及び加算器７４に入力される。
【００４４】
シンボル判定部７１は、加算器５３から入力された信号ｙ（ｋ）についてシンボルを判定し、判定したシンボルの信号を出力する。
参照信号部７２は、例えば、予め、トレーニングに用いられる所定のシンボルに等しい参照信号をメモリ等に記憶しており、その参照信号を出力する。
スイッチ７３は、例えば制御部１９により制御され、シンボル判定部７１からのシンボルの信号を所望信号ｄ（ｋ）として選択して加算器７４へ出力する状態と、参照信号部７２からの参照信号を所望信号ｄ（ｋ）として選択して加算器７４へ出力する状態を切り換える。
加算器７４は、スイッチ７３からの所望信号ｄ（ｋ）から、加算器７３からの出力信号ｙ（ｋ）を減算し、当該減算結果の信号（等化誤差信号）ｅ（ｋ）｛＝ｄ（ｋ）−ｙ（ｋ）｝を係数更新部６４へ出力する。
【００４５】
係数更新部６４は、入力信号ｘ０（ｋ），ｘ１（ｋ），ｘ２（ｋ）や、等化誤差信号ｅ（ｋ）や、各レジスタ６１−０〜６１−２から出力される等化係数ｗ０（ｋ），ｗ１（ｋ），ｗ２（ｋ）を入力し、所定の係数更新アルゴリズムに従って、更新後の等化係数ｗ０（ｋ＋１），ｗ１（ｋ＋１），ｗ２（ｋ＋１）を算出して各選択部６２−０〜６２−２へ出力する。具体的には、第１の選択部６２−０には等化係数ｗ０（ｋ＋１）が出力され、第２の選択部６２−１には等化係数ｗ１（ｋ＋１）が出力され、第３の選択部６２−２には等化係数ｗ２（ｋ＋１）が出力される。
なお、ここでは、入力情報の時刻ｋに対して出力情報の時刻（ｋ＋１）を用いて表したが、次の時刻における処理においては、この時刻（ｋ＋１）が再び時刻ｋとして扱われるとみなす。
【００４６】
各調整部６３−０〜６３−２は、それぞれ、各レジスタ６１−０〜６１−２から出力される等化係数ｗ０（ｋ），ｗ１（ｋ），ｗ２（ｋ）を入力し、調整を行って、調整済みの等化係数を各選択部６２−０〜６２−２へ出力する。具体的には、第１の調整部６３−０は等化係数ｗ０（ｋ）を入力して調整後に出力し、第２の調整部６３−１は等化係数ｗ１（ｋ）を入力して調整後に出力し、第３の調整部６３−２は等化係数ｗ１（ｋ）を入力して調整後に出力する。
また、各調整部６３−０〜６３−２は、例えば、制御部１９から入力される所定の制御信号（制御＿Ａ）により制御される。
【００４７】
各選択部６２−０〜６２−２は、それぞれ、係数更新部６４からの更新後の等化係数ｗ０（ｋ＋１），ｗ１（ｋ＋１），ｗ２（ｋ＋１）｛ここでは、時刻（ｋ＋１）を再び時刻ｋとみなして、等化係数ｗ０（ｋ），ｗ１（ｋ），ｗ２（ｋ）と考える。｝と、各調整部６３−０〜６３−２からの調整済みの等化係数を入力して、いずれか一方を選択して各レジスタ６１−０〜６１−２へ出力する。具体的には、第１の選択部６２−０は等化係数ｗ０（ｋ）に関する入力及び出力を行い、第２の選択部６２−１は等化係数ｗ１（ｋ）に関する入力及び出力を行い、第３の選択部６２−２は等化係数ｗ２（ｋ）に関する入力及び出力を行う。
また、各選択部６２−０〜６２−２は、例えば、制御部１９から入力される所定の制御信号（制御＿Ｂ）により制御される。
【００４８】
ここで、本例に係る第２の送受信装置（Ａ点側）では、各選択部６２−０〜６２−２は、第１の送受信装置（Ｂ点側）において送信系が切り換えられることに同期して、各選択部６２−０〜６２−２からの調整済みの等化係数を選択して各レジスタ６１−０〜６１−２へ出力し、また、送信系が切り換えられないときには、係数更新部６４からの更新後の等化係数を選択して各レジスタ６１−０〜６１−２へ出力するように、制御される。これにより、第１の送受信装置（Ｂ点側）において送信系が切り換えられることに同期して、第２の送受信装置（Ａ点側）における等化係数ｗｎ（ｋ）が初期化される。
【００４９】
各レジスタ６１−０〜６１−２は、それぞれ、各選択部６２−０〜６２−２から入力された等化係数ｗ０（ｋ），ｗ１（ｋ），ｗ２（ｋ）を各乗算器５２−０〜５２−２へ出力するとともに、各調整部６３−０〜６３−２及び係数更新部６４へ出力する。具体的には、第１のレジスタ６１−０は等化係数ｗ０（ｋ）を処理し、第２のレジスタ６１−１は等化係数ｗ１（ｋ）を処理し、第３のレジスタ６１−２は等化係数ｗ２（ｋ）を処理する。
【００５０】
図１０には、調整部６３−０内の内部の構成例を示してある。なお、他の調整部６３−１，６３−２についても同様である。
本例の調整部６３−０は、実数部抽出部８１、虚数部抽出部８２、−１部８３、乗算器８４、０部８５、選択器８６、複素数化部８７を備えている。
【００５１】
本例の調整部６３−０において行われる動作の例を示す。なお、他の調整部６３−１，６３−２についても同様である。
レジスタ６１−０から出力された等化係数ｗｎ（ｋ）（調整部６３−０については、ｗ０（ｋ））が、実数部抽出部８１及び虚数部抽出部８２に入力される。
実数部抽出部８１は、入力された等化係数ｗｎ（ｋ）の実数部を抽出して複素数化部８７へ出力する。
虚数部抽出部８２は、入力された等化係数ｗｎ（ｋ）の虚数部を抽出して乗算器８４へ出力する。
【００５２】
−１部８３は、−１の値の信号を乗算器８４へ出力する。
乗算器８４は、虚数部抽出部８２からの虚数部の信号と−１部８３からの−１の信号を乗算し、当該乗算結果（−１×虚数部）の信号を選択器８６へ出力する。
０部８５は、０の値の信号を選択器８６へ出力する。
【００５３】
選択器８６は、乗算器８５からの信号を選択して複素数化部８７へ出力する状態と、０部８５からの信号を選択して複素数化部８７へ出力する状態を切り換える。
また、選択器８６は、例えば、制御部１９から入力される調整方法制御のための所定の制御信号（制御＿Ａ）により制御される。
【００５４】
複素数化部８７は、実数抽出部８１から入力された実数部の信号と、選択器５６から入力された虚数部に関する信号に基づいて、これらの値からなる複素数を生成して、その信号を調整済みの等化係数ｗｎ（ｋ）（調整部６３−０については、ｗ０（ｋ））として選択部（調整部６３−０については、選択部６２−０）へ出力する。
【００５５】
ここで、選択器８６により乗算器８４からの信号（−１×虚数部）が選択された場合には、複素数化部８７は、調整部６３−０に入力された等化係数ｗｎ（ｋ）の虚数部の正負（±）を反転させたものを調整済みの等化係数ｗｎ（ｋ）として出力する。
また、選択器８６により０部５５からの信号（０）が選択された場合には、複素数化部８７は、調整部６３−０に入力された等化係数ｗｎ（ｋ）の虚数部を０としたもの（実数部のみ）を調整済みの等化係数ｗｎ（ｋ）として出力する。
【００５６】
以下、本例では、選択器８６により乗算器８４からの信号（−１×虚数部）が選択された場合について説明する。
実際に第１の送受信装置（Ｂ点側）における送信系の切り換えタイミングに同期して、それまでに収束した１つ又は複数の等化係数ｗｎ（ｋ）に対して、虚数部の符号を反転することにより、各等化係数の複素共役を求め、その値（調整済みの等化係数）によりそれぞれの等化係数ｗｎ（ｋ）を初期化する。なお、第１の送受信装置（Ｂ点側）における送信系の切り換え以外の場合では、所定の係数更新アルゴリズムに基づいて、等化係数ｗｎ（ｋ）の更新処理を行う。
【００５７】
ここで、第１の送受信装置（Ｂ点側）における送信系の切り換え時における等化係数ｗｎ（ｋ）の初期値として複素共役を求める理由は、本例のような逆相関アンテナの選択ダイバーシティを実施する場合、逆相関関係にある２つのアンテナの受信信号の変調波スペクトラム（振幅特性）が、図６（ａ）〜（ｈ）に示されるような関係になることに基づく。
【００５８】
図６（ａ）〜（ｈ）には、直接波と反射波のキャリア位相差別、つまり、直接波のキャリアの位相を０とした場合における、反射波（遅延波）のキャリア位相別の変調波スペクトラムの例を示してある。
図６（ａ）〜（ｄ）は、基準側の受信系について示してあり、それぞれ、０度（同相加算）、＋９０度、１８０度（逆相加算）、−９０度（＋２７０度）である場合を示している。また、図６（ｅ）〜（ｈ）は、逆相関側の受信系について示してあり、それぞれ、１８０度（逆相加算）、−９０度（＋２７０度）、０度（同相加算）、＋９０度である場合を示している。また、図６（ａ）〜（ｄ）と図６（ｅ）〜（ｈ）が、それぞれ、対応している。
図６（ａ）〜（ｈ）の各グラフでは、横軸は周波数を表しており、縦軸は振幅を表している。
図６（ａ）〜（ｈ）は第１の送受信装置側における受信信号のスペクトラムであるが、上述の通り、本例の無線通信システムにおいては、同一のアンテナで行う送信と受信の伝搬路が実質的に同一であるため、各アンテナから送信されて第２の送受信装置側において受信される信号も、それぞれ図６と同様の変調波スペクトラムを有する。
【００５９】
ここで、図６に示す様に、逆相関アンテナの各アンテナの変調波スペクトラムは、一定の相関関係を有している。特に、本例において、各受信系の受信レベルに基づいて受信系及び送信系の切り換えが行われると想定されるタイミングは、例えば、（＋９０度から−９０度になる場合）又は（−９０度から＋９０度になる場合）である。この場合における反射波の変調波スペクトラムは、左右対称、つまり、ＤＣ成分を中心に左右反転させた特性になる。これは、一方のアンテナ側の伝搬路特性を補償するために求めた等化係数であれば、その複素共役が、もう一方のアンテナ側の伝搬路特性を補償できることを意味している。
なお、上記では変調波スペクトラムの振幅特性の関係に基づいて説明したが、逆相関関係にある２つのアンテナを用いることにより、位相特性についても、複素共役を用いてアンテナ切り換え後の伝搬路特性を補償できる条件を満たすことができる。
本例のような等化係数の初期化を実行することにより、アンテナの切り換え時に、異なる伝搬路特性への追加的な追従時間が不要になり、切り換え時における通信品質を維持することができる。
【００６０】
次に、本例のような逆相関アンテナの選択ダイバーシティにおける等化係数の初期化に関し、効率的な適用条件について説明する。
まず、アンテナ切り換え時における各変調波スペクトラムが、左右対称になることが必要である。より具体的には、各変調波スペクトラムに示される周波数特性のうち、振幅特性に関しては、中心周波数を反転軸にしたとき、一方がもう一方を反転したものと同じになることが必要である。なお、位相特性に関しては、左右反転した後、位相自体の符号反転も必要となる。
これが満たされているという前提があるならば、直接波に対する反射波の遅延が大きくなるほど、効果が顕著になる。但し、この遅延があまりに大きくなりすぎると、ダイバーシティとは無関係な期間の受信品質に影響が出てくる。このため、このような影響が無視できる範囲あれば、遅延が大きいほど、本例の効果がはっきりわかるということである。
【００６１】
前記のような遅延時間の大小は、装置設置距離とアンテナ設置高との関係で決まる。
例えば、距離が離れていても、アンテナ設置高が低ければ、直接波のパス長と反射波のパス長との差は、大きくならない。
反対に、距離が離れていなくても、アンテナ設置高が高ければ、直接波のパス長と反射波のパス長との差が、大きくなる。
【００６２】
また、例えば、対向するアンテナが固定されており且つ伝搬路が海越えのような環境下では、直接波と反射波との関係が比較的単純であり、ダイバーシティアンテナ間における直接波と反射波との位相差の関係が凡そλ／２に保たれるため、本例の効果は大きい。
また、本例では、アンテナ切り換えを行うため、例えば、ＦＤＤ（Ｆｒｅｑｕｅｎｃｙ  Ｄｉｖｉｓｉｏｎ  Ｄｕｐｌｅｘｉｎｇ）方式よりも、ＴＤＤ方式に適合的な構成である。
【００６３】
以上のように、本例の無線通信システムでは、第１の送受信装置（Ｂ点側）において、基準アンテナ（例えば、アンテナｂ−１）と、基準アンテナに対して逆相関の関係になるように配置された逆相関アンテナ（例えば、アンテナｂ−２）を使用し、また、基準アンテナ及び逆相関アンテナの受信レベルを検出（観測）し、各々のレベルの比較に基づいて使用すべき送信系を決定し、送信系の切り換えタイミングを第２の送受信装置（Ａ点側）に通知し、当該通知した切り換えタイミングに同期した送信系切り換えを実施する。そして、第２の送受信装置（Ａ点側）おいて、通知された切り換えタイミングに同期して、切り換え前の等化係数に基づいて、等化係数を初期化する。これにより、第１の送受信装置（Ｂ点側）における送信アンテナ（送信系）の切り換えに起因する、第２の送受信装置（Ａ点側）における等化係数の再収束のための所要時間を短縮することを可能とする。
【００６４】
また、本例の無線通信システムでは、初期化用の等化係数を求める方法として、切り換え時における等化係数の初期値を、切り換え直前における等化係数の複素共役とする。このように、本例では、送信アンテナの切り換えタイミングに同期して等化係数を初期化する場合に、アンテナ切り換え直前における等化係数の収束値に基づいて、各々の係数の複素共役を算出し、これを初期値として使用する。
【００６５】
従って、本例の無線通信システムでは、現在のアンテナから逆相関の関係にあるアンテナへ送信系を切り換えるときに、送信アンテナ（送信系）の切り換えに伴って発生する切り換え実行直後に必要な等化係数再収束のための所要時間を短縮することができる。本例では、送信アンテナ（送信系）の切り換え直後の等化係数再収束処理について、切り換え直前の等化係数の複素共役を求め、これを等化係数再収束処理の開始時点における等化係数の初期値とする。
【００６６】
このように、本例では、逆相関関係にある２つのアンテナを受信状況に応じて選択的に切り換えて送信に用いるアンテナ選択ダイバーシティ技術において、特に、送受信間で海越えを行うような環境下において、送信アンテナ（送信系）の切り換え時における等化係数の収束時間を効果的に短縮することができる。
【００６７】
（第２実施例）
等化係数の初期化の第２実施例を説明する。
上記した第１実施例では、Ｂ点（第１の送受信装置）における送信系の切り換えタイミングに同期して実行する等化係数の初期値の算出として、直前までの等化係数の収束値の複素共役を求める場合を示した。これに対して、本例では、送信系の切り換えタイミングに同期して実行する等化係数の初期値の算出として、直前までの等化係数の収束値の実数部だけを使用する場合を示す。なお、本例では、実数部だけを使うということと、虚数部を０にするということとは、同じ意味である。
【００６８】
以下、本例では、図１０に示される調整部の選択器８６により０部８５からの信号（０）が選択された場合について説明する。
本例のように、選択器８６により０部８５からの信号（０）が選択された場合には、複素数化部８７は、調整部に入力された等化係数ｗｎ（ｋ）の虚数部を０としたもの（実数部のみ）を調整済みの等化係数ｗｎ（ｋ）として出力する。
【００６９】
各々のアンテナでの受信レベル推移において理想的な逆相関が成立するときには、一方の伝搬路特性を補償するための係数の複素共役は、もう一方のための係数そのものになる。そして、その係数の虚数部を０にした状態は、複素共役を求める前の係数と求めた後の係数との平均値ととらえることができる。従って、周波数特性としては、各々から同程度異なった特性になる。
【００７０】
以上のように、本例の無線通信システムでは、第２の送受信装置（Ａ点側）における初期化用の等化係数を求める方法として、切り換え時における等化係数の初期値を、切り換え直前における等化係数の実数部をそのままとし虚数部を０化して求めた値とする。このように、本例では、送信アンテナ（送信系）の切り換えタイミングに同期して、等化係数を初期化する場合に、切り換え直前における等化係数の収束値に基づいて、各々の係数の虚数部を０とし、これを初期値として使用する。
【００７１】
従って、本例の無線通信システムでは、送信アンテナ（送信系）の切り換え時に、異なる伝搬路特性への追加的な追従時間を短縮することができ、切り換え時における通信品質を維持することができる。更に、例えば、海面変動が大きくなり、逆相関の関係が理想的でなくなったような場合においても、等化係数再収束処理の所要時間の短縮効果を維持することが可能である。
【００７２】
（第３実施例）
等化係数の初期化の第３実施例を説明する。
上記した第１実施例や第２実施例では、第２の送受信装置（Ａ点側）において、Ｂ点（第１の送受信装置）における送信系の切り換えタイミングに同期して、切り換え前の送信アンテナから送信された信号の受信結果（受信信号）に基づいて適応的に収束された等化係数とは異なる等化係数を設定する（異なる等化係数へ変更する）ことにより、切り換え後の送信アンテナから送信された信号の受信結果（受信信号）に対する等化係数の収束時間を短縮する例を示した。
ここで、このような異なる等化係数（送信系の切り換え後における等化係数の初期値）としては、上記した第１実施例や第２実施例に示したものに限られず、種々なものが用いられてもよい。
本例では、これについて説明する。
【００７３】
上記した第１実施例では、送信系の切り換えタイミングの直前における等化係数の複素共役を初期値として使用する例を示したが、必ずしも厳密に複素共役である必要はなく、複素共役以外についても、送信系の切り換えタイミングの直前における等化係数に基づいて送信系切り換え後の収束が短縮される係数を与えることにより、等化係数の収束時間を短縮できる場合が考えられる。このような例として、受信スペクトラムの解析結果と送信系の切り換えタイミングの直前における等化係数に基づいて新たな等化係数を与えることなどが考えられる。
【００７４】
また、このような例として、上記した第２実施例では、送信系の切り換えタイミングの直前における等化係数の実数部をそのままとして虚数部を０としたものを初期値として使用する例を示した。
また、上記した第２実施例の変形例として、例えば、送信系の切り換えタイミングの直前における等化係数について虚数部に０を使用する一方で、実数部には直前までの収束値の実数部ではなく０や１或いは他の予め定められた値を使用したものを初期値とするような構成が実施されてもよい。このような変形例に係る初期値を使用しても、収束の所要時間の短縮効果が得られることが期待される。なお、この実数部として、０や１以外の値を使用する場合には、例えば、アンテナ特性等に応じて適切な初期値を設定するようなことが可能である。
【００７５】
以上のように、送信系の切り換え時における等化係数の初期値としては、種々な値が用いられてもよい。
一構成例として、第１の送受信装置（送信側の装置）は、逆相関関係にある２つの送信アンテナを備え、送信アンテナの切り換えタイミングを第２の送受信装置（受信側の装置）に通知した後に送信アンテナの切り換えを行い、第２の送受信装置は、前記２つの送信アンテナに対向する１つの受信アンテナと１つの適応等化器を備え、第１の送受信装置から通知された切り換えタイミングに同期して、切り換え前後の送信アンテナ間の関係（逆相関関係）を利用して適応等化器の等化係数を変更する。変更後の等化係数は、例えば、変更前（送信アンテナの切り換え直前）の等化係数に対して逆相関関係を利用した演算により求められる。
【００７６】
一構成例として、送信アンテナの切り換えタイミングに同期して変更される等化係数としては、送信アンテナの切り換えタイミング時（例えば、直前）の等化係数に基づいて与えられる。すなわち、送信アンテナが切り換えが行われるタイミングにおける等化係数に基づいて、変更後の等化係数を決定する。
一構成例として、送信アンテナの切り換えタイミングに同期して変更される等化係数としては、送信アンテナの切り換えタイミング時（例えば、直前）の複素共役が与えられる。すなわち、送信アンテナが切り換えが行われるタイミングにおける等化係数の複素共役を、変更後の等化係数として決定する。
一構成例として、送信アンテナの切り換えタイミングに同期して変更される等化係数としては、実数部として送信アンテナの切り換えタイミング時（例えば、直前）の等化係数の実数部が与えられ、虚数部として０が与えられる。すなわち、すなわち、送信アンテナが切り換えが行われるタイミングにおける等化係数の実数部をそのままとして虚数部を０としたものを、変更後の等化係数として決定する。
一構成例として、送信アンテナの切り換えタイミングに同期して変更される等化係数としては、予め定められた値（初期値）が与えられる。すなわち、変更後の等化係数として、予め設定された値を用いる。
【００７７】
以上の説明では、２つの送信系を切り換える構成例を示したが、３つ以上の送信系を切り換える構成を実施することも可能である。すなわち、一構成例として、第１の送受信装置（送信側の装置）は、所定の相関関係を有する３つ以上の送信アンテナを備え、送信アンテナの切り換えタイミングを第２の送受信装置（受信側の装置）に通知した後に送信アンテナの切り換えを行い、第２の送受信装置は、前記３つ以上の送信アンテナに対向する１つの受信アンテナと１つの適応等化器を備え、第１の送受信装置から通知された切り換えタイミングに同期して、切り換え前後の送信アンテナ間の関係（所定の相関関係）を利用して適応等化器の等化係数を変更する。変更後の等化係数は、例えば、変更前（送信アンテナの切り換え直前）の等化係数に対して所定の相関関係を利用した演算により求められる。
このような構成においても、例えば、所定の相関関係を有する３つ以上のアンテナを用いた送信ダイバーシティで、送信系の切り換えに起因する等化係数の再収束において、その所要時間を短縮することが可能である。
ここで、上記３つ以上の送信アンテナは、例えば、２つの送信アンテナを切り換える構成例と同様、各アンテナにおける受信レベルの推移が相関関係を有するように設置、構成される。つまり、例えば３つの送信アンテナの場合には、各アンテナが受信する直接波と反射波のキャリア位相差がそれぞれ１２０°ずつ異なるように設置、構成され、第１の送受信装置、及び第２の送受信装置のいずれにおいても受信レベルを一定以上に保つことが可能になる。
【００７８】
更に一般的には、ｎ本のアンテナ（ｎ＞＝２）で、各アンテナ間の特定の相関を利用したアンテナ切り替えを行うことも可能である。
ｎ本のアンテナで、任意のタイミングで、直接波の位相と遅延波の位相との差を求めたとき、各々が、以下のように表せればよい。
【数１】
0005723240.tif 000002
なお、ｋは０〜ｎ−１の整数であり、φ０は任意の定数である。
【００７９】
ここで、例えば上述の実施例のように、ｎ＝２（アンテナが２本）の場合、任意のタイミングにおける直接波の位相と遅延波の位相との差はそれぞれ以下の値となる。なお、φ０は任意なので、以降、簡単のためφ０＝０とする。
【数２】
0005723240.tif 000003
この場合、“特定の相関”は“逆相関”、つまりそれぞれのアンテナにおける直接波の位相と遅延波の位相との差が１８０°の関係となる。
【００８０】
また、ｎ＝３（アンテナが３本）の場合、任意のタイミングにおける直接波の位相と遅延波の位相との差はそれぞれ以下の値となる。
【数３】
0005723240.tif 000004
この場合は、“特定の相関”は“逆相関”ではなく、それぞれのアンテナにおける直接波の位相と遅延波の位相との差が互いに１２０°の関係となる。このように、ｎ本のアンテナ（ｎ＞＝２）についても、同様に切り替えが可能な関係になるアンテナの組み合わせは存在する。
【００８１】
図７、図８は、ｎ＝３（アンテナが３本）の場合における受信レベルの相互関係、及び、スペクトラムの相互関係を示してある。
本例では、基準となる第１アンテナと、第１アンテナに対して１２０度の位相差を持たせた第２アンテナと、第１アンテナに対して２４０度の位相差を持たせた第３アンテナの各々についての受信レベルが、図７のような相互関係を有するように設定してある。この場合、各アンテナについての直接波と反射波のキャリア位相差別の変調スペクトラムは、図８のような相互関係を有する。なお、図７のグラフでは、横軸は直接波と反射波のキャリア位相差を表しており、縦軸は相対レベルを表している。また、図８のグラフでは、横軸は周波数を表しており、縦軸は振幅を表している。
【００８２】
このような相互関係を有する第１〜第３アンテナを設けた構成では、第２アンテナの受信レベルが最小となるタイミング（ｂ）で第１アンテナの受信レベルと第３アンテナの受信レベルが逆転する（第３アンテナの方が大きくなる）ので、タイミング（ｂ）で第１アンテナから第３アンテナへの切り換えを行う。同様に、第１アンテナの受信レベルが最小となるタイミング（ｄ）で第３アンテナの受信レベルと第２アンテナの受信レベルが逆転する（第２アンテナの方が大きくなる）ので、タイミング（ｄ）で第３アンテナから第２アンテナへの切り換えを行い、第３アンテナの受信レベルが最小となるタイミング（ｆ）で第２アンテナの受信レベルと第１アンテナの受信レベルが逆転する（第１アンテナの方が大きくなる）ので、タイミング（ｆ）で第２アンテナから第１アンテナへの切り換えを行う。
【００８３】
また、以上の説明では、第１の送受信装置（送信側）の複数の送信アンテナについて、切り換え前後の送信アンテナ間の関係（所定の相関関係）の好適な例として、信号レベルの推移が図１３、図１４や図７に示す関係となる場合を示したが、本発明はこれに限られるものではない。上述の実施例では、第１の送受信装置の各受信系における受信レベルに基づいて送信系の切り換えを行うが、各受信系における受信レベルに拠らず、送信系の切り換え前後の各送信系の伝搬路特性に所定の相関関係がある場合（例えば、複数の送信アンテナから送信される信号の変調波スペクトラム（周波数特性）が図６に示す様な関係となるように当該複数の送信アンテナが構成されている場合）、送信系切り換え前後の伝搬路特性の関係に基づいて第２の送受信装置における適応等化器の等化係数などを最適な値に近づくように初期化（変更）することができる。
これにより、上述の実施例と同様に、送信系の切り換えに起因する等化係数の再収束において、その所要時間を短縮することが可能である。
【００８４】
また、以上の説明では、第１の送受信装置は、信号の送信及び受信に共用する２つ又は３つの共用アンテナを備え、各共用アンテナにより受信した信号に基づいて、信号の送信に用いるアンテナを選択的に切り換えているが、他の手法により、信号の送信に用いるアンテナを選択するようにしてもよい。すなわち、例えば、第１の送受信装置は、信号の送信に用いる２つの送信アンテナと信号の受信に用いる１つの受信アンテナを備え、各送信アンテナから送信した信号に係る情報を受信アンテナにより第２の送受信装置から受信し、当該情報に基づいて送信アンテナを選択的に切り換えるようにしてもよい。
【００８５】
本明細書の記載事項には、少なくとも次の発明が含まれる。
すなわち、第１の発明は、互いに信号の送受信を行う第１の送受信装置と第２の送受信装置とを有する無線通信システムにおいて、前記第１の送受信装置は、前記第２の送受信装置の特定のアンテナから送信される信号の受信レベルが互いに所定の相関関係を有する複数のアンテナと、前記第２の送受信装置における特定のアンテナから送信されて前記複数のアンテナによりそれぞれ受信される信号の受信レベルに基づいて、前記第２の送受信装置の特定のアンテナへ信号を送信するアンテナを前記複数のアンテナのいずれかに切り換える送信アンテナ切換手段と、前記送信アンテナ切換手段による切り換えタイミングを前記第２の受信装置に通知するタイミング通知手段と、を備え、前記第２の送受信装置は、前記第１の送受信装置から通知された切り換えタイミングに同期して、前記特定のアンテナにより受信する信号の等化処理に用いる等化係数を変更する等化係数変更手段を備えた、ことを特徴とする無線通信システムである。
当該第１の発明によれば、第１の送受信装置では、受信される信号の受信レベルに基づいて、第２の送受信装置へ信号を送信するアンテナを複数のアンテナのいずれかに切り換えることで、常に信号の送信に最適なアンテナにより信号を送信することができるとともに、第２の送受信装置では、第１の送受信装置における信号を送信するアンテナの切り換えタイミングを事前に把握することができ、当該切り換えタイミングに同期して、等化処理に用いる等化係数の変更（初期化）が実施されるため、送信アンテナの切り換え直後における通信品質の劣化が改善される。特に、第１の送受信装置の複数のアンテナは、第２の送受信装置の特定のアンテナから送信される信号の受信レベルが互いに所定の相関関係を有しており、当該受信レベルに基づいて信号の送信に用いるアンテナの切り換えを行うことから、当該複数のアンテナの各受信レベルが相関関係を有し、当該受信レベルに基づいて信号の送信に用いるアンテナの切り換えを行うという条件に基づいて等化係数変更時の係数を設定することができるので、送信系の切り換えに起因する等化係数の再収束において、その所要時間を短縮することが可能である。
【００８６】
第２の発明は、上記第１の発明に記載の無線通信システムにおいて、前記第１の送受信装置は２つのアンテナを備え、当該２つのアンテナは、前記第２の送受信装置の特定のアンテナから送信される信号の受信レベルが互いに逆相関となる関係を有することを特徴とする無線通信システムである。
当該第２の発明によれば、上記第１の発明に対して、前記第１の送受信装置が備える２つのアンテナが、前記第２の送受信装置の特定のアンテナから送信される信号の受信レベルが互いに逆相関となる関係を有しているため、特に、当該２つのアンテナは各受信レベルが逆相関関係を有するという条件に基づいて、等化係数変更時の係数を設定することができ、送信系の切り換えに起因する等化係数の再収束において、その所要時間を短縮することが可能である。
【００８７】
第３の発明は、対向する送信装置と受信装置を有する無線通信システムにおいて、前記送信装置は、前記受信装置の特定の受信アンテナとの間の伝搬路特性が所定の相関関係を有する複数の送信アンテナと、前記受信装置の特定の受信アンテナへ信号を送信するアンテナを前記複数の送信アンテナのいずれかに切り換える送信アンテナ切換手段と、前記送信アンテナ切換手段による切り換えタイミングを前記受信装置に通知するタイミング通知手段と、を備え、前記受信装置は、前記送信装置から通知された切り換えタイミングに同期して、前記特定の受信アンテナにより受信する信号の等化処理に用いる等化係数を変更する等化係数変更手段を備えた、ことを特徴とする無線通信システムである。
当該第３の発明によれば、受信装置では、送信装置における送信アンテナの切り換えタイミングを事前に把握することができ、当該切り換えタイミングに同期して、等化処理に用いる等化係数の変更（初期化）が実施されるため、送信アンテナの切り換え直後における通信品質の劣化が改善される。特に、送信装置における切り換え前後の送信アンテナの伝搬路特性が所定の相関関係を有しているため、当該相関関係を考慮して、等化係数変更時の係数を設定することができ、送信系の切り換えに起因する等化係数の再収束において、その所要時間を短縮することが可能である。
前記送信装置の複数の送信アンテナが有する伝搬路特性の相関関係としては、例えば、複数の送信アンテナから送信される信号の変調波スペクトラム（周波数特性）が、図６に示す様な関係や、図７，図８に示す様な関係が考えられる。
【００８８】
なお、上記第１〜第３の発明における、送信アンテナ切換手段は、例えば上述の実施形態（図１）においては、タイミング管理部３０、レベル測定／比較部３１、制御部３２、送信系選択部２４などにより構成される。また、タイミング通知手段は、例えば上述の実施形態（図１）においては、タイミング管理部３０、制御部３２、及び、信号を送信する機能に関する各構成（ＥＮＣ部２１、送信ベースバンド部２２、送信ＲＦ部２３、アンテナｂ、等）などにより構成される。また、等化係数変更手段は、例えば上述の実施形態（図１）においては、タイミング管理部１８、制御部１９、受信ベースバンド部１６に設けられる適応等化器（図９）などにより構成される。
【００８９】
第４の発明は、対向する送信装置と受信装置とを有する無線通信システムにおいて、前記送信装置は、前記受信装置の特定の受信アンテナとの間の伝搬路特性が所定の相関関係を有する複数の送信アンテナと、前記受信装置の特定の受信アンテナへ信号を送信するアンテナを前記複数のアンテナのいずれかに切り換える送信アンテナ切換手段と、前記送信アンテナ切換手段による切り換えタイミングを前記受信装置に通知するタイミング通知手段と、を備え、前記受信装置は、前記送信装置から通知された切り換えタイミングに同期して、前記特定の受信アンテナにより受信する信号に対する処理に関するパラメータを変更するパラメータ変更手段を備えた、ことを特徴とする無線通信システムである。
当該第４の発明によれば、受信装置では、送信装置における送信アンテナの切り換えタイミングを事前に把握することができ、当該切り換えタイミングに同期して、受信信号に対する処理に関するパラメータの変更（初期化）が実施されるため、送信アンテナの切り換え直後における通信品質の劣化が改善される。特に、送信装置における切り換え前後の送信アンテナの伝搬路特性（例えば、変調波スペクトラム等）が所定の相関関係を有しているため、受信信号に対する処理に関するパラメータの変更時に、当該相関関係を考慮したパラメータを設定することができ、送信系の切り換えに起因するパラメータの変更において当該パラメータを最適値に近づけることが可能である。
【００９０】
なお、上記第４の発明における、パラメータ変更手段は、例えば上述の実施形態（図１）においては、タイミング管理部１８、制御部１９、受信ベースバンド部１６に設けられる適応等化器（図９）などにより構成される。
【００９１】
第５の発明は、対向する送信装置と受信装置とを有する無線通信システムにおける前記送信装置であって、前記受信装置の特定の受信アンテナとの間の伝搬路特性が所定の相関関係を有する複数の送信アンテナと、前記受信装置の特定の受信アンテナへ信号を送信するアンテナを前記複数のアンテナのいずれかに切り換える送信アンテナ切換手段と、前記送信アンテナ切換手段による切り換えタイミングを前記受信装置に通知するタイミング通知手段と、を備えたことを特徴とする送信装置である。
当該第５の発明によれば、送信装置が送信アンテナの切り換えタイミングを事前に受信装置へ通知し、受信装置は当該タイミングを事前に把握することができる。特に、送信装置における切り換え前後の送信アンテナの伝搬路特性（例えば、変調波スペクトラム等）が所定の相関関係を有しているため、受信装置は、例えば受信信号の等化処理に用いる等化係数を、当該切り換えタイミングに同期して、当該相関関係に基づいた値に変更（初期化）することが可能である。これにより、送信装置における送信アンテナの切り換え直後における通信品質の劣化が改善されるとともに、送信系の切り換えに起因する等化係数の再収束において、その所要時間を短縮することが可能である。
【００９２】
第６の発明は、特定の受信アンテナにより信号を受信する受信装置と、前記受信装置の特定の受信アンテナとの間の伝搬路特性が所定の相関関係を有する複数の送信アンテナを備え、前記受信装置の特定の受信アンテナに信号を送信するアンテナを前記複数の送信アンテナのいずれかに切り換えて信号を送信する送信装置と、を有する無線通信システムにおける前記受信装置であって、前記受信装置は、前記送信装置から前記複数の送信アンテナを切り換えるタイミングを通知する信号を受信し、受信した信号に基づき前記送信アンテナの切り換えタイミングを取得する切り換えタイミング取得手段と、前記切り換えタイミング取得手段により取得される切り換えタイミングに同期して、前記特定の受信アンテナにより受信する信号の等化処理に用いる等化係数を変更する等化係数変更手段を備えた、ことを特徴とする受信装置である。
当該第６の発明によれば、受信装置は、送信装置における送信アンテナの切り換えタイミングを事前に把握することができ、当該切り換えタイミングに同期して、等化処理に用いる等化係数の変更（初期化）が実施されるため、送信アンテナの切り換え直後における通信品質の劣化が改善される。特に、送信装置における切り換え前後の送信アンテナの伝搬路特性（例えば、変調波スペクトラム等）が所定の相関関係を有しているため、当該相関関係に基づいて等化係数変更時の係数を設定することができ、送信系の切り換えに起因する等化係数の再収束において、その所要時間を短縮することが可能である。
【００９３】
なお、上記第６の発明における、切り換えタイミング取得手段は、例えば上述の実施形態（図１）においては、アンテナａ、受信ＲＦ部１５、受信ベースバンド部１６、ＤＥＣ１７、制御部１９などにより構成される。
【００９４】
第７の発明は、特定の受信アンテナにより信号を受信する受信装置と、前記受信装置の特定の受信アンテナとの間の伝搬路特性が所定の相関関係を有する複数の送信アンテナを備え、前記複数の送信アンテナのいずれかに切り換えて前記受信装置の特定の受信アンテナへ信号を送信する送信装置と、を有する無線通信システムにおける前記送信装置及び受信装置の制御方法であって、前記送信装置は、前記受信装置へ信号を送信する送信アンテナを切り換えるタイミングを前記受信装置に通知し、前記受信装置は、前記送信装置から通知された切り換えタイミングに同期して、前記送信装置から前記特定の受信アンテナにより受信する信号の等化処理に用いる等化係数を変更することを特徴とする前記送信装置及び受信装置の制御方法である。
当該第７の発明によれば、受信装置は、送信装置における送信アンテナの切り換えタイミングを事前に把握することができ、当該切り換えタイミングに同期して、等化処理に用いる等化係数の変更（初期化）が実施されるため、送信アンテナの切り換え直後における通信品質の劣化が改善される。特に、送信装置における切り換え前後の送信アンテナの伝搬路特性（例えば、変調波スペクトラム等）が所定の相関関係を有しているため、当該相関関係に基づいて等化係数変更時の係数を設定することができ、送信系の切り換えに起因する等化係数の再収束において、その所要時間を短縮することが可能である。
【００９５】
第８の発明は、特定のアンテナにより信号を送受信する第２の送受信装置と、前記第２の送受信装置の特定のアンテナとの間の伝搬路特性が所定の相関関係を有する複数のアンテナを選択的に使用して信号を送受信する第１の送受信装置と、を有する無線通信システムにおける前記第１の送受信装置及び第２の送受信装置の制御方法であって、前記第１の送受信装置において、前記第２の送受信装置における特定のアンテナから送信されて前記複数のアンテナによりそれぞれ受信される信号の受信レベルに基づいて、前記第２の送受信装置の特定のアンテナへ信号を送信するアンテナを前記複数のアンテナのいずれかに切り換えるタイミングを決定する切り換えタイミング決定ステップと、前記第１の送受信装置において、前記切り換えタイミング決定ステップで決定された送信アンテナの切り換えタイミングを前記第２の送受信装置に通知する切り換えタイミング通知ステップと、前記第２の送受信装置において、前記第１の送受信装置から通知された送信アンテナの切り換えタイミングに同期して、前記第２の送受信装置から前記特定のアンテナにより受信する信号の等化処理に用いる等化係数を変更する等化係数変更ステップと、を備えることを特徴とする前記第１の送受信装置及び第２の送受信装置の制御方法である。
当該第８の発明によれば、第１の送受信装置では、受信される信号の受信レベルに基づいて、第２の送受信装置へ信号を送信するアンテナを複数のアンテナのいずれかに切り換えることで、常に信号の送信に最適なアンテナにより信号を送信することができるとともに、第２の送受信装置では、第１の送受信装置における信号を送信するアンテナの切り換えタイミングを事前に把握することができ、当該切り換えタイミングに同期して、等化処理に用いる等化係数の変更（初期化）が実施されるため、送信アンテナの切り換え直後における通信品質の劣化が改善される。特に、第１の送受信装置の複数のアンテナは、第２の送受信装置の特定のアンテナから送信される信号の受信レベルが互いに所定の相関関係を有しており、当該受信レベルに基づいて信号の送信に用いるアンテナの切り換えを行うことから、当該複数のアンテナの各受信レベルが相関関係を有し、当該受信レベルに基づいて信号の送信に用いるアンテナの切り換えを行うという条件に基づいて等化係数変更時の係数を設定することができるので、送信系の切り換えに起因する等化係数の再収束において、その所要時間を短縮することが可能である。
【符号の説明】
【００９６】
１１：ＥＮＣ部（エンコーダ部）、  １２：送信ベースバンド部、  １３：送信ＲＦ部、  １４：ＴＤＤ−ＳＷ部（送受信切り換え部）、  １５：受信ＲＦ部、  １６：受信ベースバンド部、  １７：ＤＥＣ部（デコーダ部）、  １８：タイミング管理部、  １９：制御部、
２１：ＥＮＣ部（エンコーダ部）、  ２２：送信ベースバンド部、  ２３：送信ＲＦ部、  ２４：送信系選択部、  ２５−１，２５−２：ＴＤＤ−ＳＷ部（送受信切り換え部）、  ２６−１，２６−２：受信ＲＦ部、  ２７：受信系選択部、  ２８：受信ベースバンド部、  ２９：ＤＥＣ部（デコーダ部）、  ３０：タイミング管理部、  ３１：レベル測定／比較部、  ３２：制御部
【図１】
0005723240.tif 000005
【図２】
0005723240.tif 000006
【図３】
0005723240.tif 000007
【図４】
0005723240.tif 000008
【図５】
0005723240.tif 000009
【図６】
0005723240.tif 000010
【図７】
0005723240.tif 000011
【図８】
0005723240.tif 000012
【図９】
0005723240.tif 000013
【図１０】
0005723240.tif 000014
【図１１】
0005723240.tif 000015
【図１２】
0005723240.tif 000016
【図１３】
0005723240.tif 000017
【図１４】
0005723240.tif 000018
【図１５】
0005723240.tif 000019
【図１６】
0005723240.tif 000020